(57)【特許請求の範囲】
【請求項１】
上蓋で開閉される洗濯物投入口を上面に有する外箱と、該外箱の内部に配設された外槽と、該外槽内に回転自在に設けられた有底筒形状の乾燥槽を兼ねた洗濯槽と、を具備する洗濯乾燥機において、
前記外箱を構成する上面板にあって前記洗濯物投入口の後方の中央に、少なくとも内部に柔軟仕上げ剤の収容部を有し、前記洗濯槽内への給水に伴って前記柔軟仕上げ剤を投入することが可能である注水口部を前後方向に延在するように配置し、該注水口部の左右のいずれか一方側に、乾燥時に前記外槽内に温風を供給するための温風供給手段を配置し、前記注水口部の左右の他方側にそれぞれ該注水口部と隣接して該注水口部に水を供給する給水バルブと風呂水ポンプとを前後に並べて配置し、前記給水バルブと前記注水口部とを対面する箇所で直結するとともに、前記風呂水ポンプと前記注水口部とを左右方向に延在する通水管路で接続したことを特徴とする洗濯乾燥機。
【請求項２】
前記上面板に配置された前記給水バルブの下方に、前記洗濯槽内に貯留された水の水位を検出するための水位センサを配置したことを特徴とする請求項１に記載の洗濯乾燥機。
【請求項３】
前記上面板の後部上面を被覆する後部化粧カバーの後面をその中央から両側に向かうに従って前方に傾斜する形状とし、前記温風供給手段に外気を取り込む吸気口を前記傾斜面に設けたことを特徴とする請求項１に記載の洗濯乾燥機。
【請求項４】
前記風呂水ポンプを前記給水バルブの前方に設け、前記上面板の後部上面を被覆する後部化粧カバーの上面には、風呂水ポンプに至る風呂水ホース接続口を前に、前記給水バルブに至る給水ホース接続口をその後方に設けたことを特徴とする請求項１に記載の洗濯乾燥機。
【請求項５】
前記注水口部は柔軟仕上げ剤を収容するトレイを引き出し自在に備え、該トレイから柔軟仕上げ剤を伴った水が流下する開口の直下に、該注水口部から前記洗濯槽に給水を行うための給水ダクトを鉛直方向に配設したことを特徴とする請求項１に記載の洗濯乾燥機。
【発明の詳細な説明】
【技術分野】
【０００１】
本発明は洗濯乾燥機に関し、更に詳しくは、有底筒状の洗濯槽を備える縦型（渦巻き式）の洗濯乾燥機に関する。
【背景技術】
【０００２】
近年、洗濯機と衣類乾燥機とを一体化して、衣類の洗濯から乾燥までを自動で行う洗濯乾燥機の普及が進んでいる。従来、こうした洗濯乾燥機はドラム式が主流であったが、最近では、いわゆる渦巻き式のものでも様々な機種の洗濯乾燥機が市販されている。以下、ここでは、有底筒状の洗濯槽が垂直又は傾斜した軸を中心に回転自在に配設された、渦巻き式を典型とする洗濯乾燥機について述べる。
【０００３】
こうした洗濯乾燥機では、通常の洗濯を遂行するための各種手段に加えて、乾燥を行うために洗濯槽内に高温の空気を送り込む温風供給手段が必要である。特許文献１に記載の洗濯乾燥機では、外箱の上部カバーにあって洗濯物投入口の後方側に温風供給手段や給水バルブ、風呂水ポンプなどの給水手段が配置されている。
【０００４】
しかしながら、実際上、上記のような各種手段を洗濯物投入口後方の上部カバー内に収納しようとする場合、その配置が煩雑になりがちである。特に、給水手段の通水管路の引き回しが長くなることでそれが無駄なスペースを占有し、結果的に全体のスペースが大きくなって外形のサイズが大きくなるという問題が起こる。
【０００５】
また、上記のような洗濯乾燥機では、特許文献２に記載のように、温風供給手段は送風用のファンと空気を加熱するヒータとを含み、ファンは上部カバーの後面に設けた吸気口から外気を吸い込むような構成となっている。
【０００６】
通常、洗濯乾燥機はその後面が洗面室等の壁面に近接して設置されるが、上記従来の洗濯乾燥機の構成では、その後面と後方の壁面との間隙が十分に確保されない設置状態であると、ファンによる外気の取り込み量が減少して乾燥性能が劣化するおそれがある。
【０００７】
【特許文献１】特開２００４−１６４８２号公報
【特許文献２】特開２００４−３１１０８４号公報
【発明の開示】
【発明が解決しようとする課題】
【０００８】
本発明はこうした課題を解決するために成されたものであり、その主な目的とするところは、外箱の上部に装着される上部カバー内に給水手段や温風供給手段などを適切に配置してそのスペースのサイズを抑えることで、外形のサイズ自体を抑制することができる洗濯乾燥機を提供することにある。
【０００９】
また、本発明の他の目的とするところは、外箱の後面とその後方の壁面との離間間隙が狭い場合でも、十分な吸気を確保して高い乾燥性能を維持することができる洗濯乾燥機を提供することにある。
【課題を解決するための手段】
【００１０】
上記課題を解決するために成された本発明は、上蓋で開閉される洗濯物投入口を上面に有する外箱と、該外箱の内部に配設された外槽と、該外槽内に回転自在に設けられた有底筒形状の乾燥槽を兼ねた洗濯槽と、を具備する洗濯乾燥機において、
前記外箱を構成する上面板にあって前記洗濯物投入口の後方の中央に、少なくとも内部に柔軟仕上げ剤の収容部を有し、前記洗濯槽内への給水に伴って前記柔軟仕上げ剤を投入することが可能である注水口部を前後方向に延在するように配置し、該注水口部の左右のいずれか一方側に、乾燥時に前記外槽内に温風を供給するための温風供給手段を配置し、前記注水口部の左右の他方側にそれぞれ該注水口部と隣接して該注水口部に水を供給する給水バルブと風呂水ポンプとを前後に並べて配置し、前記給水バルブと前記注水口部とを対面する箇所で直結するとともに、前記風呂水ポンプと前記注水口部とを左右方向に延在する通水管路で接続したことを特徴としている。
【発明の効果】
【００１１】
本発明に係る洗濯乾燥機では、上面視において、上面板後部の中央に注水口部が前後方向に延在するように設けられ、この注水口部に対してほぼ直交するように風呂水ポンプと給水バルブとが並べて設けられる。給水バルブと風呂水ポンプとはいずれも注水口部に水を供給する通水管路を有するが、上記構成によれば、給水バルブの通水管路及び風呂水ポンプの通水管路のいずれもが短い経路で以て注水口部に接続されるので、通水管路に要するスペースを抑えることができる。これにより、上面板後部のスペースを有効に利用し、小さなスペースで必要な部材を収納することができ、それ故にこの洗濯乾燥機全体の外形のサイズを抑えることができる。
【００１２】
また本発明に係る洗濯乾燥機では、さらに前記上面板に配置された前記給水バルブの下方に、前記洗濯槽内に貯留された水の水位を検出するための水位センサを配置した構成とすることができる。
【００１３】
この構成によれば、給水バルブと風呂水ポンプの高さの差を利用して水位センサを収納することにより、さらに一層、上面板後部のスペースを有効に利用することができる。
【００１４】
また本発明に係る洗濯乾燥機においては、好ましくは、前記上面板の後部上面を被覆する後部化粧カバーの後面をその中央から両側に向かうに従って前方に傾斜する形状とし、前記温風供給手段に外気を取り込む吸気口を前記傾斜面に設けた構成とするとよい。
【００１５】
この構成によれば、たとえ本洗濯乾燥機の外形の最後部と後方の壁面との間隔が狭い状態で設置されても、温風供給手段の吸気口と壁面との間隔は側面側に向かうに従い広くなるので、吸気口から外気を吸い込むための空間が十分に確保される。それによって、吸気量を大きくして高い乾燥性能を達成することができる。
【００１６】
また、本発明に係る洗濯乾燥機では、前記風呂水ポンプを前記給水バルブの前方に設け、前記上面板の後部上面を被覆する後部化粧カバーの上面には、風呂水ポンプに至る風呂水ホース接続口を前に、前記給水バルブに至る給水ホース接続口をその後方に設けた構成とすることができる。
【００１７】
この構成によれば、洗濯乾燥機の移設時以外、殆ど取り外すことのない水道栓からの給水ホースが風呂水ホースの後方側で後部化粧カバーに取り付けられるので、比較的挿脱の機会の多い風呂水ホースを抜き差しする際に給水ホースが邪魔になりにくい。また、使用者側に近いので風呂水ホースの抜き差しの作業が容易である。
【００１８】
また、本発明に係る洗濯乾燥機の一態様として、前記注水口部は柔軟仕上げ剤を収容するトレイを引き出し自在に備え、該トレイから柔軟仕上げ剤を伴った水が流下する開口の直下に、該注水口部から前記洗濯槽に給水を行うための給水ダクトを鉛直方向に配設した構成としてもよい。
【００１９】
この構成によれば、柔軟仕上げ剤を伴った水はトレイの開口から出た後に直接、給水ダクト内を落下して洗濯槽内に落ちる。そのため、トレイを内装する注水口部の壁面等に柔軟仕上げ剤が付着しにくく、使用者がトレイに収容した柔軟仕上げ剤を確実に適切な時点で洗濯槽内に投入することができる。それにより、柔軟仕上げ剤の効果を十分に発揮させることができる。
【発明を実施するための最良の形態】
【００２２】
以下、本発明に係る洗濯乾燥機の一実施例を図面に基づいて説明する。図１は本実施例による洗濯乾燥機の外観斜視図、図２は本実施例の洗濯乾燥機の外観上面図、図３は図２の後部化粧カバー及び上蓋を取り外した状態を示す平面図、図４は図２の前部化粧カバー及び上蓋を取り外した状態を示す平面図、図５は図４の上面板を後方から見たときの斜視図、図６は図５の後部化粧カバーを取り外した状態を示す斜視図、図７は本実施例の洗濯乾燥機の内部構成を示す概略側面断面図である。
【００２３】
図１に示すように、本洗濯乾燥機の外形を成す外箱１は全体として略直方体形状の箱形状とされ、底面の四隅に脚部が形成された台座部２と、両側面と前面とが一体に成形された断面コ字形状の前側面板３と、前側面板３の上面開口を閉塞するように装着された上面板４と、前側面板３の後面側を被覆する後面板５と、を含む。
【００２４】
上面板４は前後方向に三つに、即ち、前部区画４ａ、中央区画４ｂ、後部区画４ｃに区画され、中央区画４ｂには洗濯物投入口６が設けられ、この洗濯物投入口６を開閉するために横方向に水平な軸を中心に回動する二つ折り起立自在の上蓋７が取り付けられている。一方、上面板４の前部区画４ａ及び後部区画４ｃにはそれぞれ所定の部品を収納するための凹所８、９が形成されており、前部区画４ａの凹所８の上面は操作パネルが印字された前部化粧カバー１０で被覆され、後部区画４ｃの凹所９の上面及び後面は後部化粧カバー１１で被覆される。
【００２５】
後部化粧カバー１１の後部の中央やや右方には、一段窪んで一端が水道栓の蛇口に直結される給水ホースを接続する給水ホース接続口１２が設けられ、その前方には風呂水吸水ホース接続口１３が設けられている。給水ホース接続口１２の左方には、別の衣類乾燥機を設置台により本洗濯乾燥機の上部空間に設置した場合にその衣類乾燥機の除湿水排出ホースを接続する除湿水ドレイン口１４が設けられている。
【００２６】
一般に、水道栓に接続される給水ホースは洗濯乾燥機の移設時以外、給水ホース接続口１２に接続されたままであるため抜き差しされることは殆どないが、風呂水吸水ホースは風呂水を利用する場合にのみ差し込まれることが多いので、給水ホースに比べると抜き差しの機会が多い。この洗濯乾燥機では、風呂水吸水ホース接続口１３が給水ホース接続口１２の手前に配置されているため、風呂水吸水ホースの抜き差しの際に給水ホースが邪魔になりにくく、また使用者の手元に近いので抜き差しの作業も無理なく行える。
【００２７】
図７に示すように、外箱１の内部には、有底円筒形状の外槽２０が図示しない複数のばねにより適度に揺動自在に吊支されており、この外槽２０の内側には、乾燥槽を兼ねた有底円筒形状の洗濯脱水槽２１が主軸２２を中心に回転自在に軸支されている。洗濯脱水槽２１の内底部には洗濯物を撹拌するためのパルセータ２３が配設され、このパルセータ２３は主軸２２内に挿通された駆動軸２４により回転自在である。外槽２０の底面下方にはダイレクトドライブ用の主モータ２５と、動力切換え用のクラッチ２６１や減速機構、バンドブレーキなどを含む動力伝達機構２６とが設置されている。
【００２８】
クラッチ２６１はトルクモータ２７の動作により、主として洗い運転、及びすすぎ運転はパルセータ２３のみを回転させるべく主軸２２と駆動軸２４との連結を解除し、脱水運転及び乾燥運転時には洗濯脱水槽２１とパルセータ２３とを一体に回転させるべく主軸２２と駆動軸２４とが連結するように機械的な切換えを行う。なお、主軸２２と駆動軸２４との連結が解除されるとき、主軸２２は図示しないバンドブレーキにより回転が拘束され、それ故に洗濯脱水槽２１は回転せずにパルセータ２３のみが回転可能となる。
【００２９】
外槽２０の底部には排水開口３０が形成され、排水開口３０には排水管３１の一端が接続されており、排水管３１は排水バルブ３２により開閉される。排水管３１の他端は図示しない起立自在な排水ホースを介して外部の排水溝に連なる。排水バルブ３２の開閉動作は上記クラッチ２６１の連結切り換え動作と同様にトルクモータ２７の動作に連動している。即ち、トルクモータ２７を駆動させることで、クラッチ２６１により洗濯脱水槽２１とパルセータ２３とが一体に回転するように接続されたときには排水バルブ３２は開放状態となり、クラッチ２６１により洗濯脱水槽２１とパルセータ２３との連結を解除してパルセータ２３のみが回転するようにしたときには排水バルブ３２は閉鎖状態となる。
【００３０】
外槽２０の上面開口は、開閉自在の内蓋３５を有する外槽カバー３４で被覆されており、この内蓋３５が閉鎖された状態では外槽２０はほぼ密閉される。外槽カバー３４には、左右に並んで二本のダクト、即ち、洗濯脱水槽２１内に給水を行うための給水ダクト３６と乾燥運転時に洗濯脱水槽２１内に高温の空気を導入するための温風ダクト３７とが接続されている。また、内蓋３５には、排気のための排気孔３８が形成されている。この両ダクト３６、３７は蛇腹状であり、外槽２０が揺動しても管路は適宜に屈曲自在である。
【００３１】
洗濯脱水槽２１の上縁部には高速回転時の大きな首振り振動を抑制するためのバランスリング４０が取り付けられ、洗濯脱水槽２１の内周面にはその底部からバランスリング４０の下まで縦に循環水路４１が形成され、洗濯脱水槽２１の内方に向いた縦に細長い吐水開口４２には縦長のリントフィルタ４３が着脱可能に設けられている。外槽２０内に適宜の水が貯留された状態でパルセータ２３が回転駆動されると、パルセータ２３の下面の裏羽根のポンプ作用により、外槽２０底面と洗濯脱水槽２１底面との間の水が洗濯脱水槽２１の底部に形成されている通水穴４４を通して洗濯脱水槽２１内に吸い上げられ、側方に押し出されて循環水路４１の下端開口に送り込まれる。そして、循環水路４１内に水が押し上げれ、吐水開口４２から洗濯脱水槽２１内に吐き出される。その際に水に混入している糸屑等のゴミはリントフィルタ４３に捕集される。
【００３２】
一方、パルセータ２３を挟んで循環水路４１と相対する洗濯脱水槽２１の内壁面には、洗剤投入用ダクト４５が洗濯脱水槽２１の底部から縦に延設されている。この洗剤投入用ダクト４５の上端の洗剤投入口４６は、略水平な軸を中心に洗濯脱水槽２１内方に倒れ込むように回動することで開放する洗剤投入口カバー４７により開閉自在である。使用者は洗濯運転に先立ってこの洗剤投入口カバー４７を開けてその内面に洗剤を収容してカバー４７を閉じる。すると、洗剤は洗剤投入用ダクト４５内を落下して洗濯脱水槽２１の底部に落下する。その後、洗濯脱水槽２１内に注水が行われ、パルセータ２３が回転駆動されると、上述したようにパルセータ２３の裏羽根のポンプ作用により洗剤投入用ダクト４５に送り込まれた水とともに洗剤が通水孔４８から洗濯脱水槽２１内に供給される。
【００３３】
この洗濯乾燥機の特徴の１つは、上面板４の後部区画４ｃ内部の部品配置構造にある。図８及び図９は図４中のＡ−Ａ’矢視線断面図、Ｂ−Ｂ’矢視線断面図である。上面板４に形成された後部区画４ｃの形状は、図４に示すように、後面側の中央が後方に突出した中央平坦部１１ａとなり、その両側で側面側に向かうに従い前方に傾斜する傾斜部１１ｂとなり、さらに傾斜部１１ｂの両端から外側に中央平坦部１１ａとほぼ平行な端部平坦部１１ｃとなっている。これにより、中央部ではその両側に比べて後部区画４ｃの奥行きが広く、それだけ部品を収納するための後部区画４ｃの凹所９のスペースが広くなっている。なお、図４中に示すように、両側の端部平坦部１１ｃの後方にはこの洗濯乾燥機の上方空間に衣類乾燥機を設置する際の設置台（スタンド）の支柱Ｐが通過するようになっており、端部平坦部１１ｃ後方の空間が有効に利用される。
【００３４】
この凹所９内の全体的な部品の配置としては、ほぼ中央に（この例では厳密には中心から右方にややずれた位置に）前後方向に細長い略直方体形状の注水口部５０が設けられ、その左方に本発明における温風供給手段としての温風供給ユニット６０が配置されている。一方、注水口部５０の右方には、奥行き方向に薄形形状である風呂水ポンプ７０が手前に、給水バルブ７１がその後方に並べて配置され、さらに給水バルブ７１の下方には洗濯脱水槽２１内に貯留された水の水位を検知する水位センサ７２が配置されている。図示しないが外槽２０の底部にはエアトラップが形成され、エアトラップに接続されたエアホースの他端が水位センサ７２に接続されている。
【００３５】
給水バルブ７１は二連バルブであって、その左側面に設けられた二つの流出口は注水口部５０に直結されている。給水バルブ７１は、外部からの制御信号に応じて、給水ホース接続口１２に供給された水を、注水口部５０の後述する第１流路又は第２流路のいずれかに流すか、或いはその流れを遮断する。風呂水ポンプ７０は呼び水給水管７０１を通して流入する水を呼び水とし、風呂水吸水ホース接続口１３を介して外部から水を吸い込んで風呂水給水管７０２を通して注水口部５０に水を吐出する。
【００３６】
図１０は注水口部の上面カバーを取り外した状態の斜視図、図１１は注水口部の上面カバーを取り外した状態の上面図、図１２は図１０中のＣ−Ｃ’矢視線断面図、図１３は図１０中のＤ−Ｄ’矢視線断面図である。
【００３７】
図１０に示すように注水口部５０は、前面及び上面が開口した直方体形状のケース５１と、該ケース５１に引き出し自在に装着されるトレイ５２と、ケース５１の上面開口に嵌合されてケース５１内に水路を形成する蓋部５３と、その上面を被覆する上面カバー５４とを含む。これらはそれぞれ合成樹脂の一体成型品である。
【００３８】
蓋部５３は、右側面後方上部に上述の如く給水バルブ７１の流出口に直結される第１給水口１０１、第２給水口１０２を有し、その内側は立壁により第１給水口１０１に連通する第１通水路１０３、第２給水口１０２に連通する第２通水路１０４と、さらに上面カバー５４に設けられた風呂水給水口に連通する第３通水路１０５の３つに区画されている。第１、第２、第３通水路１０３、１０４、１０５の末端にはそれぞれ開口１０６、１０８、１１０が形成され、この開口１０６、１０８、１１０を通してそれぞれ下方に水が落下する。
【００３９】
また、蓋部５３は後方側で前方側よりも一段低くなっているため、第１、第２通水路１０３、１０４はいずれも給水口１０１、１０２の内側で深くなっている。そして、この部分の底面に通水孔１０７、１０９が形成されている。そのため、給水バルブ７１の閉鎖時に通水路１０３、１０４内に残留する水はこの深い部分に集まり、通水孔１０７、１０９を通して下方に落ちる。したがって、通水路１０３、１０４内に長時間水が溜まった状態となることがなく、水垢等の汚れの付着を軽減できる。また、第２通水路１０４内の通水孔１０９は大きくなっており、これによって相対的に小さなサイズの開口１０８と並行してこの通水孔１０９からも下に水が落下する。それによって、第２通水路１０４に供給される水圧が高い場合でも水を溢れさせることなくスムーズに流すことができる。
【００４０】
トレイ５２内には、液体である柔軟仕上げ剤を収容しておくための柔軟仕上げ剤収容部５２１が形成されている。この柔軟仕上げ剤収容部５２１には中央が開口した円筒状体５２２が形成され、これに有蓋円筒形状のキャップ５２３が取り付けられている。トレイ５２がケース５１内に適切に収容された状態では、第２通水路１０４の開口１０８から落下した水は柔軟仕上げ剤収容部５２１に流れ込み、ここに収容されている柔軟仕上げ剤はその水に溶け込む。柔軟仕上げ剤収容部５２１内の水位が上がり円筒状体５２２の上端を超えると、柔軟仕上げ剤を伴った水が流下し始める。円筒状体５２２の外周面とキャップ５２３の内周面との隙間は狭いので、一旦水が流下し始めるとサイホン作用により柔軟仕上げ剤収容部５２１内の水が殆ど無くなるまで流出が続く。これにより、給水バルブ７１により第２給水口１０２に水が供給されたとき、柔軟仕上げ剤収容部５２１に収容された柔軟仕上げ剤の全量を確実に流出させることができる。
【００４１】
ケース５１の下面には給水ダクト３６の上端に接続される円形状の大きな開口５１１が形成されている。トレイ５２がケース５１内に完全に収納された状態では、上から見たときにトレイ５２の円筒状体５２２の中央開口（図１２中でｄ１で示す径の範囲）はケース５１の開口５１１（図１２中でｄ２で示す径の範囲）の内側に入る。即ち、上述したように柔軟仕上げ剤収容部５２１から流出する水は開口５１１を通し直接、給水ダクト３６内の空間を落下して外槽２０、洗濯脱水槽２１内に入る。したがって、粘性の高い柔軟仕上げ剤がケース５１や給水ダクト３６等の内壁面に付着することを防止し、そのほぼ全量を確実に洗濯脱水槽２１に投入することができる。
【００４２】
上記注水口部５０、風呂水ポンプ７０、及び給水バルブ７１から成る給水部の構成において、一般に、洗いの給水時や最終すすぎ以外のすすぎの給水時には、給水バルブ７１から注水口部５０への水は第１通水路１０３に流れ、開口１０６を通して落下する。また、風呂水ポンプ７０の作動により注水口部５０へ供給される水は第３通水路１０５に流れ、開口１１０を通して落下する。即ち、これらの給水時には水は注水口部５０内でトレイ５２を介さずに流れ、給水ダクト３６を通して洗濯脱水槽２１内に供給される。一方、最終すすぎの給水時には給水バルブ７１から注水口部５０への水は第２通水路１０４に流れ、その一部は開口１０８を通して落下する。したがって、トレイ５２を介するように水が流れ、トレイ５２内に収容されている柔軟仕上げ剤を伴って給水ダクト３６を通して洗濯脱水槽２１内に水が供給される。これにより、例えば最終すすぎの給水時に、洗濯脱水槽２１への柔軟仕上げ剤の自動投入が達成される。
【００４３】
乾燥運転時に外槽２０内に温風を供給する温風供給ユニット６０は、ファンモータ６２により回転駆動されるファン６１と、ファン６１により吸引された外気を加熱するヒータ６３と、これらを収納するケーシング６４とを含む。ファン６１が回転駆動されると、後面に設けられた吸気口６５から外気を吸い込むが、吸気口６５の外側には、後部化粧カバー１１の後面に着脱自在である吸気フィルタ６６が設けられ、この吸気フィルタ６６で外気に浮遊する塵埃等が除去されるようになっている。ここでは、ヒータ６３としては自己温度制御機能を有するＰＴＣヒータ（半導体ヒータ）が使用される。
【００４４】
詳しく述べると、温風を使用した乾燥運転時にはファンモータ６２が駆動されるとともにヒータ６３に加熱電流が供給される。ファン６１が回転駆動されると、ファン６１はその正面側、つまり洗濯乾燥機の後面側から空気を吸い込んで側方へと圧送する。即ち、吸気フィルタ６６を通して吸引された外気が吸気口６５からケーシング６４内に入り、ケーシング６４内で側方に送られる（図８、図９参照）。このときにヒータ６３に加熱電流が供給されていると、ファン６１により送られた空気はヒータ６３で加熱され、前方側の開口を通してケーシング６４から出てＬ字状に下方に屈曲されて温風ダクト３７内を下方に進んで外槽２０内に吐き出される。温風は洗濯脱水槽２１内に収容されている湿った洗濯物と熱交換を行って洗濯物を乾燥させ、湿った空気は外槽カバー３４の排気孔３８を通して外槽２０の外側に出て、外箱１の背面に形成されている通気孔やそのほかの隙間から機外に排出される。
【００４５】
図１４は吸気フィルタの着脱を示す斜視図である。図１４に示すように、吸気フィルタ６６は後部化粧カバー１１の背面に上下方向に容易に着脱可能となっている。上述したように後部化粧カバー１１の背面は、上面板４の形状に合わせて左右方向の中央では後方にせり出した中央平坦部１１ａとなっており、その両側が中央平坦部１１ａに対して角度θだけ傾いた傾斜部１１ｂとなっているが、吸気フィルタ６６、つまりは機外に対する吸気口はこの傾斜部１１ｂに設けられている。これにより、本洗濯乾燥機の外箱１の後面を本洗濯乾燥機を設置する部屋の直立壁面にかなり近接して設置したときでも、吸気フィルタ６６とその直立壁面との間には確実に略三角柱形状の隙間が形成される。そのため、上述したようにファン６１により外気が吸引される際に流路抵抗を小さくでき、十分な吸気量を確保して良好な乾燥を行うことができる。
【００４６】
なお、上記実施例は一例であって、本発明の趣旨の範囲で適宜変更や修正、追加を行っても本願特許請求の範囲に包含されることは明らかである。
【図面の簡単な説明】
【００４７】
【図１】本発明の一実施例による洗濯乾燥機の外観斜視図。
【図２】本実施例の洗濯乾燥機の外観上面図。
【図３】図２の後部化粧カバー及び上蓋を取り外した状態を示す平面図。
【図４】図２の前部化粧カバー及び上蓋を取り外した状態を示す平面図。
【図５】図４の上面板を後方から見たときの斜視図。
【図６】図５の後部化粧カバーを取り外した状態を示す斜視図。
【図７】本実施例の洗濯乾燥機の内部構成を示す概略側面断面図。
【図８】図４中のＡ−Ａ’矢視線断面図。
【図９】図４中のＢ−Ｂ’矢視線断面図。
【図１０】注水口部の上面カバーを取り外した状態の斜視図。
【図１１】注水口部の上面カバーを取り外した状態の上面図。
【図１２】図１１中のＣ−Ｃ’矢視線断面図。
【図１３】図１１中のＤ−Ｄ’矢視線断面図。
【図１４】吸気フィルタの着脱を示す斜視図。
【符号の説明】
【００４８】
１…外箱
２…台座部
３…前側面板
４…上面板
４ａ…前部区画
４ｂ…中央区画
４ｃ…後部区画
５…後面板
６…洗濯物投入口
７…上蓋
８、９…凹所
１０…前部化粧カバー
１１…後部化粧カバー
１１ａ…中央平坦部
１１ｂ…傾斜部
１１ｃ…端部平坦部
１２…給水ホース接続口
１３…風呂水吸水ホース接続口
１４…除湿水ドレイン口
２０…外槽
２１…洗濯槽
２２…主軸
２３…パルセータ
２４…駆動軸
２５…主モータ
２６…動力伝達機構
２６１…クラッチ
２７…トルクモータ
３０…排水開口
３１…排水管
３２…排水バルブ
３４…外槽カバー
３５…内蓋
３６…給水ダクト
３７…温風ダクト
３８…排気孔
４０…バランスリング
４１…循環水路
４２…吐水開口
４３…リントフィルタ
４４…通水穴
４５…洗剤投入用ダクト
４６…洗剤投入口
４７…洗剤投入口カバー
４８…通水孔
５０…注水口部
５１…ケース
５１１…開口
５２…トレイ
５２１…柔軟仕上げ剤収容部
５２２…円筒状体
５２３…キャップ
５３…蓋部
５４…上面カバー
６０…温風供給ユニット
６１…ファン
６２…ファンモータ
６３…ヒータ
６４…ケーシング
６５…吸気口
６６…吸気フィルタ
７０…風呂水ポンプ
７１…給水バルブ
７２…水位センサ
１０１…第１給水口
１０２…第２給水口
１０３…第１通水路
１０４…第２通水路
１０５…第３通水路
１０６、１０８…開口
１０７、１０９…通水孔
【図１】
0004667159.tif 000002
【図２】
0004667159.tif 000003
【図３】
0004667159.tif 000004
【図４】
0004667159.tif 000005
【図５】
0004667159.tif 000006
【図６】
0004667159.tif 000007
【図７】
0004667159.tif 000008
【図８】
0004667159.tif 000009
【図９】
0004667159.tif 000010
【図１０】
0004667159.tif 000011
【図１１】
0004667159.tif 000012
【図１２】
0004667159.tif 000013
【図１３】
0004667159.tif 000014
【図１４】
0004667159.tif 000015